(57)【要約】【課題】マスカラブラシ等のブラシを製造する装置を提供する。【解決手段】間隔を開けて配列された２本の支持棒２２と、ブラシ毛繊維Ｍ１を案内して２本の支持棒２２にブラシ毛繊維Ｍ１を掛け渡して巻き付ける案内棒３１とを備える。案内棒３１は、支持棒２２の長さ方向に側部２１Ｃ側から先端部側に向かって移動しながら、２本の支持棒２２の周りを移動するように制御される。支持棒２２にブラシ毛繊維Ｍ１を巻き付けた後、ブラシ毛繊維Ｍ１に対して、ヘアピン状に折り曲げたブラシ軸を挿入する。【選択図】図６
2010042073.tif 000002
【特許請求の範囲】
【請求項１】
ブラシ軸にブラシ毛繊維が取り付けられたブラシの製造装置であって、
間隔を開けて配列され、長さ方向に移動可能な２本の支持棒と、
ブラシ毛繊維を案内しながら前記２本の支持棒の周りを移動することにより、前記２本の支持棒にブラシ毛繊維を掛け渡して巻き付ける案内棒と、
前記２本の支持棒に掛け渡したブラシ毛繊維に対して、ヘアピン状に折り曲げたブラシ軸を差し込むブラシ軸差込部材と、
前記２本の支持棒を長さ方向に移動させることにより、ブラシ毛繊維をブラシ軸に移す支持棒移動部材と
を備えたことを特徴とするブラシの製造装置。
【請求項２】
前記案内棒により前記２本の支持棒にブラシ毛繊維を掛け渡して巻き付ける際に、前記２本の支持棒を挟んで支持棒の間隔を保持する間隔保持部材を備えたことを特徴とする請求項１または請求項２記載のブラシの製造装置。
【請求項３】
前記支持棒移動部材により前記２本の支持棒を長さ方向に移動させる際に、巻き付けられたブラシ毛繊維を挟むブラシ毛繊維挟み部材を備えたことを特徴とする請求項１または請求項２記載のブラシの製造装置。
【請求項４】
ブラシ毛繊維が移されたブラシ軸の一端部を固定するブラシ軸固定部材と、
ブラシ毛繊維が移されたブラシ軸の他端部を挟むと共に、回転することにより、ブラシ軸を捻り合わせてブラシ軸にブラシ毛繊維を固定するブラシ軸捻り部材と
を備えたことを特徴とする請求項１から請求項３のいずれか１に記載のブラシの製造装置。
【請求項５】
前記案内棒は、前記支持棒の長さ方向に移動しながら、前記２本の支持棒にブラシ毛繊維を八の字に掛け渡して巻き付けることを特徴とする請求項１から請求項４のいずれか１に記載のブラシの製造装置。
【請求項６】
前記２本の支持棒の内側には、それぞれ、ブラシ軸を挿入するための挿入溝が形成されていることを特徴とする請求項１から請求項５のいずれか１に記載のブラシの製造装置。
【請求項７】
直線状のブラシ軸を保持する保持部と、
直線状のブラシ軸をヘアピン状に折り曲げる折り曲げ部と、
前記保持部から前記折り曲げ部に直線状のブラシ軸を１本ずつ一定の間隔で取り出す取り出し部と
を備えたことを特徴とする請求項１から請求項６のいずれか１に記載のブラシの製造装置。
【請求項８】
捻り合わせたブラシ軸を挟んでブラシ軸の位置決めをする位置決め部材と、
前記位置決め部材により位置決めされたブラシ軸に対して、ブラシの把持部を接続するための接続部を掴んで、接続部に形成された挿入孔を嵌め合わせる接続部嵌め合わせ部材と、
前記接続部嵌め合わせ部材により嵌め合わせた接続部を回転させてブラシ軸に固定する接続部固定部材と
を備えたことを特徴とする請求項１から請求項７のいずれか１に記載のブラシの製造装置。
【発明の詳細な説明】
【技術分野】
【０００１】
本発明は、マスカラブラシ等のブラシを製造する装置に関する。
【背景技術】
【０００２】
マスカラは、例えば、マスカラブラシに付着したマスカラをまつげに転写することにより、まつげに塗布することができる。よって、マスカラブラシは、ブラシへのマスカラの付着量が多く、しかもまつげへのマスカラの転写が容易であるものが好ましい。
【０００３】
このようなマスカラブラシとしては、例えば、ブラシ軸に輪状のブラシ毛が軸に対して垂直方向に形成されたものあるいは軸の捻り方向に連続的に形成されたものが提案されている（例えば、特許文献１〜２参照）。
【特許文献１】特許第３５７４８２８号公報
【特許文献２】特許第３９９３６１２号公報
【発明の開示】
【発明が解決しようとする課題】
【０００４】
しかしながら、これらのマスカラブラシを大量に生産することは困難であり、これらを製造する装置の開発が望まれていた。
【０００５】
本発明は、このような問題に基づきなされたものであり、マスカラブラシ等のブラシを製造する装置を提供することを目的とする。
【課題を解決するための手段】
【０００６】
本発明のブラシの製造装置は、ブラシ軸にブラシ毛繊維が取り付けられたブラシを製造するものであって、間隔を開けて配列され、長さ方向に移動可能な２本の支持棒と、ブラシ毛繊維を案内しながら２本の支持棒の周りを移動することにより、２本の支持棒にブラシ毛繊維を掛け渡して巻き付ける案内棒と、２本の支持棒に掛け渡したブラシ毛繊維に対して、ヘアピン状に折り曲げたブラシ軸を差し込むブラシ軸差し込み部材と、２本の支持棒を長さ方向に移動させることにより、ブラシ毛繊維をブラシ軸に移す支持棒移動部材とを備えたものである。
【発明の効果】
【０００７】
本発明のブラシの製造装置によれば、２本の支持棒と、ブラシ毛繊維を案内しながら支持棒の周りを移動する案内棒とを備えるようにしたので、簡単な構成で、容易に、２本の支持棒にブラシ毛繊維を掛け渡して巻き付けることができる。また、掛け渡したブラシ毛繊維に対して、ヘアピン状に折り曲げたブラシ軸を差し込むブラシ軸差込部材と、支持棒を長さ方向に移動させることにより、ブラシ毛繊維をブラシ軸に移す支持棒移動部材とを備えるようにしたので、容易に、ブラシ軸にブラシ毛繊維を移すことができる。よって、自動的に大量のブラシを容易に製造することができる。
【０００８】
特に、案内棒により支持棒にブラシ毛繊維を巻き付ける際に、支持棒を挟んで支持棒の間隔を保持する間隔保持部材を備えるようにすれば、ブラシ毛繊維を巻き進んでも、支持棒の間隔を保持することができる。よって、支持棒の変形を防止することができると共に、容易に、ブラシ毛繊維を所定の長さまで巻き付けることができる。
【０００９】
また、支持棒移動部材により支持棒を長さ方向に移動させる際に、巻き付けられたブラシ毛繊維を挟むブラシ毛繊維挟み部材を備えるようにすれば、支持棒に巻き付けたブラシ毛繊維を、より容易にかつ形を保持して、ブラシ軸に移すことができる。
【００１０】
更に、ブラシ軸の一端部を固定するブラシ軸固定部材と、ブラシ軸の他端部を挟むと共に、回転することにより、ブラシ軸を捻り合わせてブラシ軸にブラシ毛繊維を固定するブラシ軸捻り部材とを備えるようにすれば、ブラシ軸に移したブラシ毛繊維を容易にブラシ軸に固定することができ、容易にブラシを製造することができる。
【００１１】
加えて、支持棒の内側にブラシ軸を挿入するための挿入溝を形成するようにすれば、支持棒に掛け渡したブラシ毛繊維に対してブラシ軸を容易に差し込むことができる。
【００１２】
更にまた、直線状のブラシ軸を保持する保持部と、直線状のブラシ軸をヘアピン状に折り曲げる折り曲げ部と、保持部から折り曲げ部に直線状のブラシ軸を１本ずつ一定の間隔で取り出す取り出し部とを備えるようにすれば、ブラシ軸の加工も自動的に行うことができ、より容易にブラシを製造することができる。
【００１３】
加えてまた、ブラシ軸を挟んでブラシ軸の位置決めをする位置決め部材と、位置決め部材により位置決めされたブラシ軸に対して、接続部に形成された挿入孔を嵌め合わせる接続部嵌め合わせ部材と、接続部嵌め合わせ部材により嵌め合わせた接続部を回転させてブラシ軸に固定する接続部固定部材とを備えるようにすれば、容易にブラシ軸に接続部を取り付けることができ、容易にブラシを製造することができる。
【発明を実施するための最良の形態】
【００１４】
以下、本発明の実施の形態について、図面を参照して詳細に説明する。
【００１５】
図１は本発明の一実施の形態に係るブラシの製造装置を上から見た概略構成を表すものであり、図２は図１に示したブラシの製造装置を横から見た概略構成を表すものである。このブラシの製造装置は、ブラシ軸にブラシ毛繊維を取り付けるものであり、回転台１１に４つの基本動作部１２が均等に配設された構造を有している。このブラシの製造装置では、回転台１１が回転し、基本動作部１２が第１ステージ１３、第２ステージ１４、第３ステージ１５、および第４ステージ１６を順に回ることにより、ブラシを製造するようになっている。
【００１６】
図３は図１，２に示した基本動作部１２の構成を拡大して表すものである。基本動作部１２は、底部２１Ａおよび上部２１Ｂと、これらを接続する１つの側部２１Ｃとにより、略コの字型に形成された基体２１を備えている。側部２１Ｃには、貫通孔２１Ｄが設けられており、側部２１Ｃの外側には、貫通孔２１Ｄに対応して配設溝２１Ｅが設けられている。貫通孔２１Ｄには、間隔を開けて配列された２本の支持棒２２が、側部２１Ｃの外側から内側に向かって挿入されている。支持棒２２は、第１ステージ１３において、ブラシ毛繊維を巻き付けるためのものである。
【００１７】
図４は支持棒２２の構成を表すものであり、図５は図４のＩ−Ｉ線に沿った端面構造を表すものである。図４に示したように、２本の支持棒２２は、支持体２２Ａに対して間隔を開けて一端部がそれぞれ配設され、同一方向に伸長されている。支持体２２Ａには、第２ステージ１４において、２本の支持棒２２の間にブラシ軸を挿入するための挿入孔２２Ｂが設けられている。２本の支持棒２２の互いに対向する内側には、図５に示したように、ブラシ軸を挿入するための挿入溝２２Ｃがそれぞれ設けられていることが好ましい。ブラシ軸を容易に挿入することができるからである。
【００１８】
また、図３に示したように、支持体２２Ａと側部２１Ｃに形成された配設溝２１Ｅとは互いに対応して形成されており、支持体２２Ａは、配設溝２１Ｅに対して嵌め込まれるようになっている。
【００１９】
更に、図３に示したように、基体２１の底部２１Ａおよび上部２１Ｂには、支持棒２２を挟んで対向するように、一対のブラシ毛繊維挟み部材２３がそれぞれ配設されている。このブラシ毛挟み部材２３は、第３ステージ１５において、支持棒２２に巻きつけたブラシ毛繊維から支持棒２２を引き抜く際に、ブラシ毛繊維を挟んで押さえるためのものである。ブラシ毛繊維挟み部材２３は、駆動部２３Ａにより、対向方向にそれぞれ移動可能とされている。
【００２０】
加えて、図３および図２に示したように、基体２１の底部２１Ａおよび上部２１Ｂの側部２１Ｃ側には、対向するように、一対のブラシ軸固定部材２４Ａ，２４Ｂがそれぞれ配設されている。このブラシ軸固定部材２４Ａ，２４Ｂは、第３ステージにおいて、ブラシ軸を捻る際に、ブラシ軸の一端部を挟んで固定するためのものである。本実施の形態では、底部２１Ａに配設されているブラシ軸固定部材２４Ａは固定されており、上部２１Ｂに配設されているブラシ軸固定部材２４Ｂは、駆動部２４Ｃにより、底部２１Ａとの対向方向に移動可能とされている。位置決めをし易いからである。なお、ブラシ軸固定部材２４Ａも上部２１Ｂとの対向方向に移動可能とされていてもよい。
【００２１】
また、図３に示したように、貫通孔２１Ｄに挿入された状態の支持棒２２の先端部近傍には、第１ステージにおいて、支持棒２２にブラシ毛繊維を巻き始める際および巻き終わる際に、ブラシ毛繊維を固定するブラシ毛繊維固定部材２５が配設されている。このブラシ毛繊維固定部材２５は、例えば、棒状部材の周りにコイル状部材が配設された構造を有しており、ブラシ毛繊維は、コイル状部材に巻き付けられることにより固定されるようになっている。
【００２２】
図６は、第１ステージ１３の概略構成を表すものである。第１ステージ１３には、ブラシ毛繊維Ｍ１を案内して支持棒２２にブラシ毛繊維Ｍ１を巻き付ける案内棒３１が配設されている。案内棒３１は、例えば、内部にブラシ毛繊維Ｍ１を案内する案内孔が設けられており、先端部からブラシ毛繊維Ｍ１を導出するようになっている。案内棒３１は、図示しない駆動部により移動可能となっている。具体的には、ブラシ毛繊維固定部材２５にブラシ毛繊維Ｍ１を巻き付けた後、支持棒２２の長さ方向に側部２１Ｃ側から先端部側に向かって移動しながら２本の支持棒２２の周りを移動することにより、２本の支持棒２２にブラシ毛繊維Ｍ１を八の字に掛け渡して巻き付け、最後に、ブラシ毛繊維固定部材２５にブラシ毛繊維Ｍ１を巻き付けるように制御されている。また、案内棒３１は、支持棒２２の長さ方向に移動しながら、一方の支持棒２２の周りを回転移動し、他方の支持棒２２の近傍に移動して、他方の支持棒２２の周りを回転移動し、一方の支持棒２２の近傍に移動するように制御されていることが好ましい。容易に、２本の支持棒２２にブラシ毛繊維Ｍ１を八の字に掛け渡すことができるからである。
【００２３】
第１ステージ１３には、また、２本の支持棒２２を挟んで支持棒２２の間隔を保持する間隔保持部材３２が配設されている。間隔保持部材３２は、図示しない駆動部により駆動可能とされ、例えば、通常は退避しており、支持棒２２にブラシ毛繊維Ｍ１を巻き付ける際に支持棒２２の近傍に移動し、支持棒２２を挟むように制御されている。その際、ブラシ毛繊維Ｍ１を巻き始める当初から支持棒２２を挟むようにしてもよいが、支持棒２２の途中までブラシ毛繊維Ｍ１を巻き付けた後に支持棒２２を挟むようにすることが好ましい。ブラシ毛繊維Ｍ１を巻き進むほど支持棒２２にかかる力が大きくなり、間隔を保つことが難しくなるからである。
【００２４】
図７は、第２ステージ１４の概略構成を表すものである。第２ステージ１４には、ヘアピン状に折り曲げられたブラシ軸Ｍ２を、挿入孔２２Ｂから、２本の支持棒２２の内側に沿って、掛け渡したブラシ毛繊維Ｍ１との間に差し込むブラシ軸差込部材４１が配設されている。ブラシ軸差込部材４１は、基体２１の側部２１Ｃの近傍に配置されており、図示しない駆動部により、ブラシ軸Ｍ２の差し込み方向に移動可能とされている。
【００２５】
図８は、第３ステージ１５の概略構成を表すものである。第３ステージ１５には、支持体２２Ａの両端部を挟んで、支持棒２２を長さ方向に貫通孔２１Ｄから引き抜くように移動させる支持棒移動部材５１が配設されている。支持棒移動部材５１は、支持棒２２に掛け渡されたブラシ毛繊維Ｍ１から支持棒２２を引き抜くことにより、ブラシ毛繊維Ｍ１をブラシ軸Ｍ２に移すためのものである。第３ステージ１５には、また、ブラシ毛繊維Ｍ１が移されたブラシ軸Ｍ２の他端部を挟むと共に、回転することにより、ブラシ軸Ｍ２を捻り合わせてブラシ軸Ｍ２にブラシ毛繊維Ｍ１を固定するブラシ軸捻り部材５２が配設されている。更に、第３ステージには、ブラシ軸Ｍ２を捻る前にブラシ軸Ｍ２の中心位置決めをする中心決め部材５３が配設されている。中心決め部材５３は、先端部が逆Ｖ字状に形成されており、逆Ｖ字状の中心部にブラシ軸Ｍ２を挟むことにより、中心位置決めをするように構成されている。これら支持棒移動部材５１、ブラシ軸捻り部材５２および中心決め部材５３は、それぞれ、図示しない駆動部により駆動可能とされている。
【００２６】
図９は、第４ステージ１６の概略構成を表すものである。第４ステージ１６には、捻り合わせたブラシ軸Ｍ２を挟んでブラシ軸Ｍ２の位置決めをする位置決め部材６１と、この位置決め部材６１により位置決めされたブラシ軸Ｍ２に対して、ブラシの把持部を接続するための接続部Ｍ３を掴んで、接続部Ｍ３に形成された挿入孔を嵌め合わせる接続部嵌め合わせ部材６２とが配設されている。接続部嵌め合わせ部材６２は、画像処理により制御されている。第４ステージには、また、接続部嵌め合わせ部材６２によりはめ合わされた接続部Ｍ３を回転させてブラシ軸Ｍ２に固定する接続部固定部材６３も配設されている。これら位置決め部材６１，接続部嵌め合わせ部材６２および接続部固定部材６３は、それぞれ、図示しない駆動部により駆動可能とされている。
【００２７】
図１０は、回転台１１の中心部上方に配設されたブラシ軸加工装置７０の構成を表すものである。このブラシ軸加工装置７０は、直線状のブラシ軸Ｍ２を順番に取り出してヘアピン状に加工するものであり、直線状の複数本のブラシ軸Ｍ２を横にした状態で保持空間７１Ａに保持する保持部７１を有している。保持部７１の底部には、保持空間７１Ａから直線状のブラシ軸Ｍ２を１本ずつ取り出す取り出し部７２が形成されている。取り出し部７２は、保持部７１の底部に下方に向かって形成された取り出し溝７２Ａと、保持部７１の底部において取り出し溝７２Ａと保持空間７１Ａとの間に回転可能に配設された円筒状の回転部材７２Ｂとを有している。回転部材７２Ｂの外周面は、一部が保持空間７１Ａに露出し、一部は取り出し溝７２Ａに接し、他は保持部７１により覆われている。また、回転部材７２Ｂの外周面には、１本の直線状のブラシ軸Ｍ２を保持する保持溝７２Ｃが形成されている。これにより、保持溝７２Ｃが保持空間７１Ａに露出している時に保持溝７２Ｃに１本のブラシ軸Ｍ２が保持され、回転部材７２Ｂが回転して保持溝７２Ｃが取り出し溝７２Ａのところまでくると、保持溝７２Ｃに保持されていたブラシ軸Ｍ２は取り出し溝７２Ａを下方に落下し取り出されるようになっている。
【００２８】
ブラシ軸加工装置７０は、また、取り出し部７２の下方に位置し、取り出し部７２により取り出された直線状のブラシ軸Ｍ２をヘアピン状に折り曲げる折り曲げ部７３を有している。折り曲げ部７３は、ブラシ軸Ｍ２を挿入するブラシ軸溝７３Ａが形成されたブラシ軸保持部材７３Ｂと、ブラシ軸Ｍ２を折り曲げる際に折り曲げ部を押さえる支点棒７３Ｃとを有している。ブラシ軸保持部材７３Ｂには、ブラシ軸溝７３Ａの長さ方向の中央部に、支点棒７３Ｃをブラシ軸溝７３Ａに対して垂直に挿入するための支点孔７３Ｄが形成されている。また、折り曲げ部７３は、支点棒７３Ｃにより押さえられたブラシ軸Ｍ２の一方の端部を持ち上げて反対側の端部の方に折り曲げる持ち上げ部材７３Ｅと、ブラシ軸Ｍ２を折り曲げたのち、ブラシ軸溝７３Ａに挿入してブラシ軸Ｍ２を押圧することにより、ブラシ軸Ｍ２の形を整える押圧板７３Ｆとを有している。
【００２９】
ブラシ軸加工装置７０は、また、取り出し部７２と折り曲げ部７３との間に位置し、取り出し部７２により取り出されたブラシ軸を折り曲げ部７３のブラシ軸溝７３Ａに案内する案内板７４を有している。
【００３０】
このブラシの製造装置は、次のように動作し、ブラシを製造する。
【００３１】
まず、例えば図６に示したように、第１ステージ１３において、案内棒３１によりブラシ毛繊維Ｍ１を誘導し、ブラシ毛繊維固定部材２５にブラシ毛繊維Ｍ１を巻き付けたのち、案内棒３１を支持棒２２の近傍に移動させる。次いで、案内棒３１を支持棒２２の長さ方向に側部２１Ｃ側から先端部側に向かって移動させながら２本の支持棒２２の周りを移動させる。具体的には、例えば図１１（Ａ）に示したように、案内棒３１を一方の支持棒２２の周りで回転させ、次いで図１１（Ｂ）に示したように、案内棒３１を支持棒２２の配列方向に他方の支持棒２２の近傍まで移動させ、続いて図１１（Ｃ）に示したように、案内棒３１を他方の支持棒２２の周りで回転させ、その後図１１（Ｄ）に示したように、案内棒３１を支持棒２２の配列方向に一方の支持棒２２の近傍まで移動させる。これを繰り返すことにより、支持棒２２の長さ方向に側部２１Ｃ側から先端部側に向かって、２本の支持棒２２にブラシ毛繊維Ｍ１を八の字に掛け渡して巻き付ける。
【００３２】
支持棒２２の周りを回転させる際には、支持棒２２の外側から内側に向かうように回転させることが好ましく、一方の支持棒２２と他方の支持棒２２とでは回転方向を逆にすることが好ましい。より容易にブラシ毛繊維Ｍ１を八の字に掛け渡して巻き付けることができるからである。支持棒２２にブラシ毛繊維Ｍ１を巻き終わったら、案内棒３１をブラシ毛繊維固定部材２５の近傍まで移動させ、ブラシ毛繊維固定部材２５にブラシ毛戦記Ｍ１を巻き付ける。
【００３３】
また、例えば図１０に示したように、ブラシ軸加工装置７０では、取り出し部７２の回転部材７２Ｂが回転し、保持溝７２Ｃが保持空間７１Ａに露出した時に、１本の直線状のブラシ軸Ｍ２を保持して更に回転する。次いで、保持溝７２Ｃが取り出し溝７２Ａまでくると、ブラシ軸Ｍ２は取り出し溝７２Ａを下方に落下し、案内板７４に案内されて、折り曲げ部７３のブラシ軸溝７３Ａに挿入される。ブラシ軸溝７３Ａにブラシ軸Ｍ２が挿入されると、支点孔７３Ｄに支点棒７３Ｃを挿入してブラシ軸Ｍ２を押さえた後、持ち上げ部材７３Ｅにより、ブラシ軸Ｍ２の一方の端部を持ち上げて反対側の端部の方に折り曲げる。続いて、押圧板７３Ｆをブラシ軸溝７３Ａに挿入してブラシ軸Ｍ２を押圧し、ブラシ軸Ｍ２の形を整える。
【００３４】
その後、回転台１１を回転させて基本動作部１２を次のステージに移動させる。次いで、例えば図７に示したように、第２ステージ１４において、ブラシ軸加工装置７０によりヘアピン状に加工したブラシ軸Ｍ２を、折り曲げ側とは反対側の端部から挿入孔２２Ｂに突き刺し、ブラシ軸差込部材４１により挿入する。これにより、ブラシ軸Ｍ２は、支持棒２２の内側に設けられた挿入溝２２Ｃに沿って、掛け渡されたブラシ毛繊維Ｍ１との間に差し込まれる。
【００３５】
その後、回転台１１を回転させて基本動作部１２を次のステージに移動させる。次いで、例えば図８に示したように、第３ステージ１５において、ブラシ軸捻り部材５２を移動させてブラシ軸Ｍ２の折り曲げ側とは反対側の他端部を挟む。また、ブラシ毛繊維挟み部材２３を移動させて支持棒２２に巻き付けたブラシ毛繊維Ｍ１を挟む。更に、ブラシ軸固定部材２４Ｂを移動させてブラシ軸固定部材２４Ａとの間にブラシ軸Ｍ２の折り曲げ側の一端部を挟む。続いて、支持棒移動部材５１により支持体２２Ａの両端部を挟み、支持棒２２を長さ方向に貫通孔２１Ｄから引き抜くように移動させる。次いで、ブラシ軸捻り部材５２をブラシ軸Ｍ２から離し、中心決め部材５３を移動させてブラシ軸Ｍ２の中心位置決めをする。その後、ブラシ軸捻り部材５２によりブラシ軸Ｍ２の他端部を挟み、ブラシ毛繊維挟み部材２３を移動させてブラシ毛繊維Ｍ１から離し、ブラシ軸捻り部材５２を回転させてブラシ軸Ｍ２を捻り合わせる。これにより、ブラシ軸Ｍ２は捻り合わされてブラシ軸Ｍ２にブラシ毛繊維Ｍ１が固定される。
【００３６】
その後、回転台１１を回転させて基本動作部１２を次のステージに移動させる。次いで、例えば図９に示したように、第４ステージ１６において、位置決め部材６１によりブラシ軸Ｍ２を挟み、ブラシ軸Ｍ２の位置決めをする。続いて、接続部嵌め合わせ部材６２により、接続部Ｍ３を掴んで、接続部Ｍ３の挿入孔をブラシ軸Ｍ２にはめ合わせる。その後、接続部固定部材６３により、接続部Ｍ３を回転させ、ブラシ軸Ｍ２に捻じ込んで固定する。これにより、ブラシの製造工程が終了する。
【００３７】
このように、本実施の形態に係るブラシの製造装置によれば、２本の支持棒２２と、ブラシ毛繊維Ｍ１を案内しながら支持棒２２の周りを移動する案内棒３１とを備えるようにしたので、簡単な構成で、容易に、２本の支持棒２２にブラシ毛繊維Ｍ１を掛け渡して巻き付けることができる。また、掛け渡したブラシ毛繊維Ｍ１に対して、ヘアピン状に折り曲げたブラシ軸Ｍ２を差し込むブラシ軸差込部材４１と、支持棒２２を長さ方向に移動させることにより、ブラシ毛繊維Ｍ１をブラシ軸Ｍ２に移す支持棒移動部材５１とを備えるようにしたので、容易に、ブラシ軸Ｍ２にブラシ毛繊維Ｍ１を移すことができる。よって、自動的に大量のブラシを容易に製造することができる。
【００３８】
特に、案内棒３１により支持棒２２にブラシ毛繊維Ｍ１を巻き付ける際に、支持棒２２を挟んで支持棒２２の間隔を保持する間隔保持部材３２を備えるようにすれば、ブラシ毛繊維Ｍ１を巻き進んでも、支持棒２２の間隔を保持することができる。よって、支持棒２２の変形を防止することができると共に、容易に、ブラシ毛繊維Ｍ１を所定の長さまで巻き付けることができる。
【００３９】
また、支持棒移動部材５１により支持棒２２を長さ方向に移動させる際に、巻き付けられたブラシ毛繊維Ｍ１を挟むブラシ毛繊維挟み部材２３を備えるようにすれば、支持棒２２に巻き付けたブラシ毛繊維Ｍ１を、より容易にかつ形を保持して、ブラシ軸に移すことができる。
【００４０】
更に、ブラシ軸Ｍ２の一端部を固定するブラシ軸固定部材２４Ａ，２４Ｂと、ブラシ軸Ｍ２の他端部を挟むと共に、回転することにより、ブラシ軸Ｍ２を捻り合わせてブラシ軸Ｍ２にブラシ毛繊維Ｍ１を固定するブラシ軸捻り部材５２とを備えるようにすれば、ブラシ軸Ｍ２に移したブラシ毛繊維Ｍ１を容易にブラシ軸Ｍ２に固定することができ、容易にブラシを製造することができる。
【００４１】
加えて、支持棒２２の内側にブラシ軸Ｍ２を挿入するための挿入溝２２Ｃを形成するようにすれば、支持棒２２に掛け渡したブラシ毛繊維Ｍ１に対してブラシ軸Ｍ２を容易に差し込むことができる。
【００４２】
更にまた、直線状のブラシ軸Ｍ２を保持する保持部７１と、直線状のブラシ軸Ｍ２をヘアピン状に折り曲げる折り曲げ部７３と、保持部７１から折り曲げ部７３に直線状のブラシ軸Ｍ２を１本ずつ一定の間隔で取り出す取り出し部７２とを備えるようにすれば、ブラシ軸Ｍ２の加工も自動的に行うことができ、より容易にブラシを製造することができる。
【００４３】
加えてまた、ブラシ軸Ｍ２を挟んでブラシ軸の位置決めをする位置決め部材６１と、位置決め部材６１により位置決めされたブラシ軸Ｍ２に対して、接続部Ｍ３に形成された挿入孔２２Ｃを嵌め合わせる接続部嵌め合わせ部材６２と、接続部嵌め合わせ部材６２により嵌め合わせた接続部Ｍ３を回転させてブラシ軸Ｍ２に固定する接続部固定部材６３とを備えるようにすれば、容易にブラシ軸Ｍ２に接続部を取り付けることができ、容易にブラシを製造することができる。
【００４４】
以上、実施の形態を挙げて本発明を説明したが、本発明は上記実施の形態に限定されるものではなく、種々変形可能である。例えば、上記実施の形態では、回転台１１に基本動作部１２を配設し、回転台１１を回転させることにより第１ステージ１３から第４ステージ１６まで移動させるようにしたが、第１ステージ１３から第４ステージ１６を直線的に配設し、基本動作部１２を直線的に移動させるようにしてもよい。
【００４５】
また、上記実施の形態では、ブラシの製造装置の構成を一例をあげて具体的に説明したが、すべての構成要素を備えていなくてもよく、また、他の構成要素を備えていてもよい。例えば、上記実施の形態では、直線状のブラシ軸Ｍ２をヘアピン状に加工するブラシ加工装置７０を備える場合について説明したが、予めヘアピン状に加工されたブラシ軸Ｍ２を用いる場合には備えていなくてもよい。更に、上記実施の形態では、ブラシ軸Ｍ２に接続部材Ｍ３を取り付ける第４ステージ１６を備える場合について説明したが、備えていなくてもよい。
【００４６】
更に、上記実施の形態では、案内棒３１により２本の支持棒２２にブラシ毛繊維Ｍ１を八の字に掛け合わせて巻き付ける場合について説明したが、２本の支持棒２２の両方を囲むように楕円形または円形または円弧と直線とを組み合わせて移動させることによりにブラシ毛繊維Ｍ１を掛け合わせて巻きつけるようにしてもよい。この場合、第２ステージ１４では、ヘアピン状に加工したブラシ軸Ｍ２を支持棒２２の配列方向に対して垂直にして、支持棒２２に掛け渡したブラシ毛繊維Ｍ１をヘアピンの間に挟むようにブラシ軸Ｍ２を差し込むようにすることが好ましい。
【産業上の利用可能性】
【００４７】
マスカラブラシ等のブラシの製造に用いることができる。
【図面の簡単な説明】
【００４８】
【図１】本発明の一実施の形態に係るブラシの製造装置を上から見た概略構成を表す図である。
【図２】図１に示したブラシの製造装置を横から見た概略構成を表す図である。
【図３】図１，２に示した基本動作部の構成を表す斜視図である。
【図４】図３に示した支持棒の構成を表す斜視図である。
【図５】図４のＩ−Ｉ線に沿った端面構造を表す図である。
【図６】図１に示した第１ステージの概略構成を表すものである。
【図７】図１に示した第２ステージの概略構成を表すものである。
【図８】図１に示した第３ステージの概略構成を表すものである。
【図９】図１に示した第４ステージの概略構成を表すものである。
【図１０】図１に示した回転台の中心部上方に配設されたブラシ軸加工装置の構成を表すものである。
【図１１】図６に示した案内棒と支持棒の動作を説明するための図である。
【符号の説明】
【００４９】
１１…回転台、１２…基本動作部、１３…第１ステージ、１４…第２ステージ、１５…第３ステージ、１６…第４ステージ、２１…基体、２１Ａ…底部、２１Ｂ…上部、２１Ｃ…側部、２１Ｄ…貫通孔、２１Ｅ…配設溝、２２…支持棒、２２Ａ…支持体、２２Ｂ…挿入孔、２２Ｃ…挿入溝、２３…ブラシ毛繊維挟み部材、２３Ａ…駆動部、２４Ａ，２４Ｂ…ブラシ軸固定部材、２４Ｃ…駆動部、２５…ブラシ毛繊維固定部材、３１…案内棒、３２…間隔保持部材、４１…ブラシ軸差込部材、５１…支持棒移動部材、５２…ブラシ軸捻り部材、５３…中心決め部材、６１…位置決め部材、６２…接続部嵌め合わせ部材、６３…接続部固定部材、７０…ブラシ軸加工装置、７１…保持部、７１Ａ…保持空間、７２…取り出し部、７２Ａ…取り出し溝、７２Ｂ…回転部材、７２Ｃ…保持溝、７３…折り曲げ部、７３Ａ…ブラシ軸溝、７３Ｂ…ブラシ軸保持部材、７３Ｃ…支点棒、７３Ｄ…支点孔、７３Ｅ…押圧板、７４…案内板、Ｍ１…ブラシ毛繊維、Ｍ２…ブラシ軸、Ｍ３…接続部
【図１】
2010042073.tif 000003
【図２】
2010042073.tif 000004
【図３】
2010042073.tif 000005
【図４】
2010042073.tif 000006
【図５】
2010042073.tif 000007
【図６】
2010042073.tif 000008
【図７】
2010042073.tif 000009
【図８】
2010042073.tif 000010
【図９】
2010042073.tif 000011
【図１０】
2010042073.tif 000012
【図１１】
2010042073.tif 000013